(57)【要約】      （修正有）【課題】フィルタの着脱が可能で気流導入機能を備える集塵装置を提供する。【解決手段】一面に少なくとも１つの吸気口１１１１を有し、もう一面に少なくとも１つの排気口を備え、内側には吸気口から排気口に通じる気流経路を備えた筐体１１と、気流を導入し吸気口と排気口の間に気流経路を発生させる気流導入装置、及びその気流導入装置を制御する制御モジュール及び電源モジュールを備える気流発生ユニットと、吸気部に着脱自在に配置され、気流導入装置が吸入する気体に含まれる粉塵を濾過するフィルタ１２と、を有する。【選択図】図１
0003223545.tif 000002
【実用新案登録請求の範囲】
【請求項１】
集塵装置であって、
筐体と、
気流発生ユニットと、
フィルタと、を備え、
前記筐体は、一面に少なくとも１つの吸気口を有し、もう一面に少なくとも１つの排気口を備え、内側には吸気口から排気口に通じる気流経路を備えており、
前記気流発生ユニットは、気流導入装置と、制御モジュールと、電源モジュールと、を有し、
前記気流導入装置は、気流を導入し前記吸気口と前記排気口の間に前記気流経路を発生させるためのもので、気体を吸入する吸気部及び気体を排出する排気部を備えており、
前記制御モジュールは、前記気流導入装置と電気的に繋がっており、前記気流導入装置を制御する制御基板を備えており、
前記電源モジュールは、前記制御モジュールと電気的に繋がっており、
前記フィルタは、前記吸気部に着脱自在に配置され、前記気流導入装置が吸入する気体に含まれる粉塵を濾過することを特徴とする集塵装置。
【請求項２】
前記気流発生ユニットは、整流装置を備え、前記整流装置は、前記気流導入装置の排気部に対応して取り付けられ、気流を導入する導入曲面部を備えていることを特徴とする請求項１に記載の集塵装置。
【請求項３】
前記筐体は、気流発生ユニットを収容し、その側面または底部あるいはその両方に少なくとも１つの排気口を備えていることを特徴とする請求項２に記載の集塵装置。
【請求項４】
前記整流装置は、前記気流経路を通る気体を少なくとも１つの前記排気口へ導くことを特徴とする請求項３に記載の集塵装置。
【請求項５】
前記筐体は、保持体を備え、前記保持体は、前記気流導入装置の前記吸気部に取り付けられ吸気口を備えおり、前記筐体と前記保持体の間には、前記フィルタが収容されることを特徴とする請求項１に記載の集塵装置。
【請求項６】
前記フィルタは、吸着層、濾過層、沈降層、化学触媒層、光触媒層、静電層、イオン層で構成されるグループのうちの一層または複数の層の組み合わせを有することを特徴とする請求項５に記載の集塵装置。
【請求項７】
前記筐体は、前記フィルタの位置決めを行う位置決め部を備え、前記位置決め部は、嵌合構造、係止構造、噛合構造、磁石吸着構造、バネ構造、ストッパー構造、ネジ止め構造またはセンサのうちの１つまたは複数の組み合わせを有することを特徴とする請求項６に記載の集塵装置。
【請求項８】
前記位置決め部は、センサであり、前記フィルタの取り付けを感知するために、前記制御モジュールと電気的に繋がる感応部を有することを特徴とする請求項７に記載の集塵装置。
【請求項９】
前記気流発生ユニットは、前記制御モジュールと電気的に繋がって前記気流導入装置の使用状態を制御する操作モジュールを有することを特徴とする請求項７に記載の集塵装置。
【請求項１０】
前記操作モジュールは、前記気流導入装置の風速及び開閉を調整するための操作インターフェースを有することを特徴とする請求項９に記載の集塵装置。
【請求項１１】
前記操作モジュールは、表示部を備え、前記表示部は、タッチパネル、表示ディスプレイ、数字ディスプレイ及び表示灯で構成されるグループのうちの１つまたは複数の組み合わせであることを特徴とする請求項９に記載の集塵装置。
【請求項１２】
前記制御モジュールは、前記フィルタの使用状況を検出するための検出モジュールを備え、前記検出モジュールは、前記フィルタの使用状況が閾値を超えているまたは閾値に達していないことを検出すると、前記表示部に情報を伝達し、フィルタ交換のメッセージを表示させることを特徴とする請求項１１に記載の集塵装置。
【請求項１３】
前記電源モジュールは、外部電源接続口、一次電池または充電式電池のうちの１つまたは複数の組み合わせであることを特徴とする請求項１から１１までのいずれかに記載の集塵装置。
【請求項１４】
前記筐体は、前記吸気口の外側に脱着自在に取り付けられる外蓋を備えることを特徴とする請求項１から１１までのいずれかに記載の集塵装置。
【請求項１５】
前記筐体は、前記筐体の外側に取り付けられる把持部を備えることを特徴とする請求項１から１１までのいずれかに記載の集塵装置。
【請求項１６】
前記筐体の前記吸気口の周りには、手を置くためのクッションを有することを特徴とする請求項１から１１までのいずれかに記載の集塵装置。
【請求項１７】
前記筐体の下部には、少なくとも１つの底脚を有することを特徴とする請求項１から１１までのいずれかに記載の集塵装置。
【請求項１８】
前記筐体は、少なくとも１つの台座を有することを特徴とする請求項１から１１までのいずれかに記載の集塵装置。
【考案の詳細な説明】
【技術分野】
【０００１】
本考案は集塵装置に関し、特に、フィルタの着脱が可能で気流導入機能を備える集塵装置に関するものである。
【背景技術】
【０００２】
近年、世界中でネイルアートが盛んに行われるようになっている。地爪の形や色をメイキングしてナチュラルネイルを演出するものもあれば、飾りや独特な絵柄を施す造形ネイルアート等もあり、ネイルアートは今やファッションの中でも無視できない重要な一部となっている。
【０００３】
ネイルアートでは、爪の滑らかさを出したり、取り付けてある硬化ジェル等のネイルアート装飾品を取り除いたりするために、爪の研磨作業が必要になる。しかしながら、研磨の際にはどうしても粉塵が大量に発生してしまう。また、発生する粉塵粒子の大きさは様々で、粒子径の大きい粉塵はまとまって堆積しやすく、粒子径の小さい粉塵はあちこちに散乱して、室内各所にホコリとして溜まることになる。これでは周りが汚れるばかりか、火災や爆発等の安全リスクも出てきてしまう。そのうえネイリスト及びその顧客は長期にわたって爪やネイルアート装飾品の微粒子を吸い込むことになり、健康を害する可能性がある。したがって、ネイルアート市場では、粉塵が散乱しないようにするために、粉塵を収集する集塵装置が切に求められている。
【０００４】
一般的によく見られる集塵装置は、研磨時の粉塵を直接集塵装置に吸い込み、遠心ファンを通じて集塵袋や集塵ケースに収集し、粉塵が一定量貯まったら、集塵袋や集塵ケースを掃除し、続けて使用するというものである。
【考案の概要】
【考案が解決しようとする課題】
【０００５】
現在、市場にはネイルアートで発生する粉塵を収集する集塵装置はすでに存在している。しかし、従来の集塵装置は、ファン等の機械を利用して気流吸引力を生み出し、粉塵が混ざった気流をファンを経由して直接集塵装置本体に吸い込むものである。このような設計では粉塵が頻繁にファンにこびりついてしまうため、故障しないようにファンを定期的に掃除しなければならないだけでなく、集塵袋や集塵ケースを掃除する際に集塵装置本体を開ける必要があり、操作が非常に不便である。また、ファンは動作時に熱を持つが、この状態で粉塵に接触すると、悪臭が出る可能性があるほか、爆発を招く危険性もある。さらに、ネイルアートで発生する粉塵は、通常軽くて量が多いため、集塵装置内部の乱雑な気流によって粉塵が再度散らばってしまい、集塵効率が悪くなるという問題がある。
【課題を解決するための手段】
【０００６】
上述の課題に鑑みて、本考案は、これを解決するための集塵装置を提供することを目的とする。本考案の集塵装置は、筐体と、気流発生ユニットと、フィルタとを含む。前記筐体は、一面に少なくとも１つの吸気口を備え、もう一面に少なくとも１つの排気口を備え、前記筐体の内側には吸気口から排気口に通じる気流経路を備えている。前記気流発生ユニットは、気流導入装置と、制御モジュールと、電源モジュールとを含む。前記気流導入装置は、気流を導入し前記吸気口と前記排気口の間に前記気流経路を発生させるためのもので、気体を吸入する吸気部及び気体を排出する排気部を備えている。前記制御モジュールは、前記気流導入装置と電気的に繋がっており、前記気流導入装置を制御する制御基板を備えている。前記電源モジュールは、前記制御モジュールと電気的に繋がっている。前記フィルタは、前記吸気部に着脱自在に配置され、前記気流導入装置が吸入する気体に含まれる粉塵を濾過する。
【０００７】
好ましい実施形態においては、前記気流発生ユニットは、整流装置を含む。整流装置は、前記気流導入装置の排気部に対応して取り付けられ、気流を導入する導入曲面部を備えている。
【０００８】
好ましい実施形態においては、前記筐体は、前記気流発生ユニットを収容し、側面又は底部の少なくとも一方に少なくとも１つの前記排気口を備えている。
【０００９】
好ましい実施形態においては、前記整流装置は、前記気流経路を通る気体を少なくとも１つの前記排気口へ導く。
【００１０】
好ましい実施形態においては、前記筐体は、保持体を含む。当該保持体は、前記気流導入装置の前記吸気部に取り付けられており、吸気口を備えている。前記筐体と前記保持体の間には、前記フィルタが収容されている。
【００１１】
好ましい実施形態においては、前記フィルタは、吸着層、濾過層、沈降層、化学触媒層、光触媒層、静電層、イオン層で構成されるグループのうちの一層または複数の層の組み合わせを含む。
【００１２】
好ましい実施形態においては、前記筐体は、前記フィルタの位置決めを行う位置決め部を含む。当該位置決め部は、嵌合構造、係止構造、噛合構造、磁石吸着構造、バネ構造、ストッパー構造、ネジ止め構造またはセンサのうちの１つまたは複数の組み合わせを含む。
【００１３】
好ましい実施形態においては、前記位置決め部はセンサであり、前記フィルタの取り付けを感知するために、前記制御モジュールと電気的に繋がる感応部を含む。
【００１４】
好ましい実施形態においては、前記気流発生ユニットは、前記制御モジュールと電気的に繋がって前記気流導入装置の使用状態を制御する操作モジュールを含む。
【００１５】
好ましい実施形態においては、前記操作モジュールは、前記気流導入装置の風速及び開閉を調整するための操作インターフェースを含む。
【００１６】
好ましい実施形態においては、前記操作モジュールは、表示部を含む。当該表示部は、タッチパネル、表示ディスプレイ、数字ディスプレイ及び表示灯で構成されるグループのうちの１つまたは複数の組み合わせである。
【００１７】
好ましい実施形態においては、前記制御モジュールは、前記フィルタの使用状況を検出するための検出モジュールを含む。当該検出モジュールは、前記フィルタの使用状況が閾値を超えているまたは閾値に達していないことを検出すると、前記表示部に情報を伝達し、フィルタ交換のメッセージを表示させる。
【００１８】
好ましい実施形態においては、前記電源モジュールは、外部電源接続口、一次電池または充電式電池のうちの１つまたは複数の組み合わせを含む。
【００１９】
好ましい実施形態においては、前記筐体は、前記吸気口の外側に脱着自在に取り付けられる外蓋を含む。
【００２０】
好ましい実施形態においては、前記筐体は、当該筐体の外側に取り付けられる把持部を含む。
【００２１】
好ましい実施形態においては、前記筐体の前記吸気口の周りには、手を置くためのクッションを含む。
【００２２】
好ましい実施形態においては、前記筐体の下部には、少なくとも１つの底脚を含む。
【００２３】
好ましい実施形態においては、前記筐体は、少なくとも１つの台座を含む。
【考案の効果】
【００２４】
本考案の集塵装置は、フィルタを含み、当該フィルタに光触媒や活性炭等を組み合わせる複合式フィルタを使用することで、本考案の集塵装置は除塵機能だけでなく、除塵した気体に対する脱臭、消毒を行うことができ、それと同時に空気清浄効果をももたらすという利点がある。
【００２５】
また、本考案の集塵装置は、整流装置を取り付けることによって、気流をスムーズに排出し、装置内部の気流をよどみない状態に保ち、粉塵粒子を残らずフィルタに捕集して、二次飛散を防ぐことができる。
【００２６】
さらに、本考案の集塵装置は、位置決め部を取り付けることによって、フィルタ交換時及び装着時に正確な位置に取り付けられているかどうかをすぐさま確認することができる。
【図面の簡単な説明】
【００２７】
【図１】本考案の第一実施形態の外観斜視図である。
【図２】本考案の第一実施形態の上面分解斜視図である。
【図３】本考案の第一実施形態の底面分解斜視図である。
【図４】本考案の第一実施形態の上面図である。
【図５】本考案の第一実施形態の気流経路断面図である。
【図６】本考案の第二実施形態の外観斜視図である。
【図７】本考案の第二実施形態の上面図である。
【図８】本考案の第二実施形態の気流経路断面図である。
【考案を実施するための形態】
【００２８】
以下、本考案の技術内容を図面に基づいて説明する。なお、これら図面は説明のためのものであるため、実際の比率に従い描かれたものではなく、本考案の技術的範囲を限定するものではない。
【００２９】
「含む」又は「備える」の語は、本明細書及び特許請求の範囲では、挙げられた要素を備えるユニット、構造、物品、または装置は、必ずしもこれらの要素のみに限定されるものでなく、明示的に挙げられていないか、又はこのようなユニット、構造、物品、または装置に本来備わっている他の要素も含んでよい。
【００３０】
下記にて、本考案の実施形態について詳細に説明するが、ここに述べる実施形態は本考案の理解に役立てるためのものであり、本考案の技術的範囲を限定するものではない。
【００３１】
本文で述べる集塵装置は、ネイルアート分野での使用に限定されるものではなく、空気の濾過または集塵が必要なそれ以外の用途にも応用してもよい。本考案は、集塵装置の応用範囲を限定するものではない。
【００３２】
（第一実施形態）
以下、本考案の第一実施形態について図１〜図５を用いて説明する。図１は、本考案の集塵装置１００の第一実施形態の外観斜視図である。図２は、第一実施形態の上面分解斜視図である。図３は、第一実施形態の底面分解斜視図である。図４は、第一実施形態の上面図である。図５は、第一実施形態の気流経路断面図である。
【００３３】
本考案の集塵装置１００の第一実施形態は、筐体１１と、フィルタ１２と、気流発生ユニット１３とを含む。このうち、気流発生ユニット１３は、気流導入装置１３１と、制御モジュール１３２と、電源モジュール１３３とを含む。気流導入装置１３１は、気流を導入して吸引力を生み出すためのものであるため、気体を吸入する吸気部と、気体を排出する排気部とを備えている。
【００３４】
前記筐体１１は、一面に少なくとも１つの吸気口１１１１を備え、もう一面に少なくとも１つの排気口１１４１を備え、筐体１１の内側には吸気口１１１１から排気口１１４１に通じる気流経路を備えている。例を挙げると、前記筐体は、一体成型でもよいし、上カバーと下カバーによる構成、または左カバーと右カバーによる構成等であってもよい。但し、本考案の筐体１１の構成はこれらに限定されるものではない。本実施形態では、筐体１１は、上カバー１１１と、保持体１１２と、下カバー１１４とを含む（図１参照）。このうち、上カバー１１１及び保持体１１２は吸気部に取り付けられ、吸気口（１１１１、１１２１）を備えている。また、上カバー１１１と保持体１１２の間にはフィルタ１２が収容されている。フィルタ１２は、前記吸気部の位置に着脱自在に配置されている。下カバー１１４は、気流発生ユニット１３を収容することができ、下カバー１１４の側面又は底部の少なくとも一方には、少なくとも１つの排気口１１４１が備わっている。
【００３５】
フィルタ１２は、気流導入装置１３１が吸入する気体中に含まれる粉塵を濾過するためのものである。好ましい実施形態においては、フィルタ１２は、筐体１１の内側に吸気口（１１１１、１１２１）に対応する形で着脱自在に設置されている。フィルタ１２は、吸着層、濾過層、沈降層、化学触媒層、光触媒層、静電層、イオン層で構成されるグループのうちの一層または複数の層の組み合わせを含んでよい。好ましい実施形態においては、フィルタ１２は高性能エアフィルタ（ＨＥＰＡ）である。また、別の好ましい実施形態においては、フィルタ１２は吸着層と光触媒層を含むものを使用し、吸着層には活性炭を用いる。当該実施形態の利点は、これにより本考案の集塵装置１００が、粉塵を濾過するだけでなく、悪臭を放つ粒子を活性炭によって吸着し、光触媒層で気体に対して脱臭、消毒、殺菌等を行うため、除塵と同時に空気清浄効果ももたらすことができる、ということである。好ましい実施形態においては、フィルタ１２は交換可能な使い捨て式のフィルタを使用してもよい。さらに別の好ましい実施形態においては、フィルタ１２は取り出して掃除し繰り返し使うことのできるフィルタでもよい。フィルタ１２の交換、掃除及び装着が実施しやすいように、筐体１１は、フィルタ１２が誤った方向で集塵装置１００に装着されないための位置提示または位置決め部１１３等のミス防止措置を具備してもよい。本文で述べる「位置決め」とは、使用者がフィルタ１２を装着する際に場所を限定するまたは位置を決める部品のこと、または使用者が直接的あるいは間接的にフィルタ１２の取り付け位置を確かめるのに役立つ部品のことである。取り付け位置とは、例えば、フィルタ１２の装着方向、方位、表裏、位置、順序、角度等である。位置提示とは、例えば、形状によるマッチング、位置制限によるマッチング、図によるマッチング、色による提示等であるが、これらに限定されるものではない。位置決め部１１３は、例えば、嵌合構造、係止構造、噛合構造、空間制限構造、磁石吸着構造、バネ構造、ストッパー構造、ネジ止め構造またはセンサ（例えば、圧力センサ、磁気抵抗センサ、光電センサ、赤外線センサ）等であるが、これらに限定されるものではない。本考案のミス防止措置は、前述の位置提示手段及び位置決め部１１３等の例示のうちのいずれか１つでもよいし、またはその組み合わせでもよく、本文では限定しない。好ましい実施形態においては、位置決め部１１３は、制御モジュール１３２と電気的に繋がりフィルタ１２の取り付け状況を感知する感応部を含む。取り付け状況とは、例えば、装着位置、装着方向、またはフィルタを複数層使用する実施形態における各フィルタの装着順序等であるが、これらに限定されるものではない。好ましい実施形態においては、位置決め部１１３は光学センサまたは赤外線センサを使用し、制御モジュール１３２と電気的に繋がる感応部を含み、筐体１１に設置してもよいし、または制御モジュール１３２に設置してもよい。前記感応部は、フィルタ１２の両側に対になってそれぞれ設置される投光器と受光器を含んでおり、前記感応部の光または赤外線の受光状態によってフィルタ１２の装着状況を知ることができる。好ましい実施形態においては、位置決め部１１３は圧力センサを使用し、制御モジュール１３２と電気的に繋がる圧力感応部を含み、フィルタ１２を被感応部とする。本考案の集塵装置１００にフィルタ位置決め部１１３を設置する利点は、使用者がフィルタ１２が正しく装着されているかどうかを取り付けと同時に知ることができることであり、しばらく使った後ではじめてフィルタ１２が正しく装着されていないことに気づくという事態が起きないことである。また、フィルタを複数層使用する実施形態において、位置決め部１１３は各フィルタの装着順序を感知できることが好ましい。例えば、光電センサを位置決め部１１３に使用する場合、フィルタの特定位置に光を遮る突出部を設け、当該フィルタの両側に投光器と受光器を対にしてそれぞれ設置することにより、フィルタ装着後に光が遮られるかどうかによって、フィルタが裏返しに装着され複数層のフィルタの装着順序間違い等が起きていないかどうかを検出することができる。但し、本考案の位置決め部１１３の各フィルタの装着順序を感知する方法はこれに限定されるものではない。このような仕組みを設けるのは、各層のフィルタがそれぞれ異なる機能（例えば、粉塵の濾過、光触媒殺菌、及び悪臭吸着等）を有しており、機能の異なるフィルタの配列順序が空気清浄効果に影響するためである。したがって、フィルタの装着順序、方向、表裏の正確性を確保することにより、多層フィルタの効果を最大限に発揮させ、使用期間を長引かせることができる。
【００３６】
筐体１１は、クッション（図示せず）、少なくとも１つの底脚１１５、少なくとも１つの台座（図示せず）、外蓋（図示せず）または把持部（図示せず）のうちの少なくとも１つを含んでもよい。前記クッション（図示せず）は、吸気口１１１１の周りに設置されると、使用者が爪の研磨作業を行う際に手を置くことができ、本考案の集塵装置１００を使用するうえでの快適性が向上するため、より好ましい。底脚１１５は、筐体１１の下部に設置されるもので、集塵装置１００を様々な台の上で使用できるようにするために、滑り止め効果を有しているとより好ましい。底脚１１５を取り付けると、集塵装置１００が底上げされ台やテーブルに直接触れることがないため、気流発生ユニット１３の動作時に出る騒音を低減することができる。また、排気口１１４１が筐体１１の底部に設置される実施形態において、気流の排出をよりスムーズに行うことができる。前記台座（図示せず）は、前記筐体に取り付けられ、当該筐体を立たせることで特定の角度や高さに設定することができ、使用者が作業内容に応じて集塵装置を最適な位置に調節するのに役立つ。前記外蓋（図示せず）は、吸気口１１１１の外側に着脱自在に設置され、集塵装置１００を使用しない場合、吸気口１１１１の外側に当該外蓋を設置することでホコリの進入を防ぐことができ、フィルタ１２に粉塵が吸着されたり触媒等が不必要に消耗されたりするのを防ぐことができる。前記把持部（図示せず）は、筐体１１の外側に取り付けてもよい。これにより、使用者が集塵装置を手で持ったり移動させたりするのに役立つ。当該把持部は、可動式でもよいし、固定式でもよい。好ましい実施形態においては、当該把持部は、筐体１１に着脱自在に固定するか、または筐体１１と一体成型してもよい。着脱自在にする方式としては、例えば、係止構造、嵌合構造、ネジ止め構造等があるが、本考案では限定しない。
【００３７】
気流導入装置１３１は、気流を導入し吸気口（１１１１、１１２１）と排気口１１４１の間に前記気流経路を発生させるためのもので、気流を導入する仕組み、装置、部品またはそれらの組み合わせのいずれでもよい。具体的には例えば、遠心ファン（例えば、シロッコ型、ターボ型、パドル型、翼型等）、軸流ファン、斜流ファン、横流ファンまたは気流増幅器等であるが、これらに限定されるものではない。本実施形態では、集塵装置１００の気流導入装置１３１は軸流ファンであり、発生する気流は羽根車に対して垂直に動くため、風量が大きいのが利点である。好ましい実施形態においては、本考案の集塵装置１００の気流発生ユニット１３は、整流装置１３５を含む。整流装置１３５は、少なくとも一種類の下降緩傾斜面を備えており、これにより気流を導入する導入曲面部を形成する。整流装置１３５は、気流導入装置１３１の排気部に対応して設置されるが、気流導入装置１３１の気体流動方式の違いに応じて、整流装置１３５を気流導入装置１３１の排気部の異なる位置に設置してもよい。本実施形態では、本考案の集塵装置１００の気流発生ユニット１３は、気流導入装置１３１の排気部に対応して設置される整流装置１３５を含む。整流装置１３５の中心は、気流導入装置１３１の中心と完全に一致または略一致しており、中心から外周方向に向かって下降しながら延伸し導入曲面部を形成している。図４は、本実施形態の上面図であり、図中のＡ−Ａ断面（すなわち図５）を利用して本考案の気流経路を説明する。図５において、矢印は気体の流動方向を表している。本考案の気流発生ユニット１３は、気流導入装置１３１が動作することによって吸引力を生み出し、粉塵を含む外部の気体をフィルタ１２に接触させ、フィルタ１２はそのうちの粉塵を留めて気体を通過させる。除塵された気体は、気流導入装置１３１を通過してから整流装置１３５に接触し、整流装置１３５の滑らかな曲面形状によって、筐体１１の少なくとも１つの排気口１１４１へとスムーズに誘導されることで、よどみない気流経路が形成される。
【００３８】
制御モジュール１３２は、気流導入装置１３１と電気的に繋がっており、気流導入装置１３１を制御するための制御基板を含む。制御モジュール１３２は、筐体１１の内部に設置してもよい。
【００３９】
電源モジュール１３３は、制御モジュール１３２と電気的に繋がっており、外部電源接続口または電池のいずれか１つ、またはその組み合わせでもよい。当該電池は、一次電池でもよいし、または充電式電池でもよい。好ましい実施形態においては、電源モジュール１３３は、外部電源接続口、一次電池または充電式電池のいずれか１つ、またはその組み合わせを含む。
【００４０】
本考案の気流発生ユニット１３は、操作モジュール１３４を含んでもよい。操作モジュール１３４は、制御モジュール１３２と電気的に繋がり気流導入装置１３１の導通状況または使用状態を制御し、さらには、気流導入装置１３１の風速及び開閉を調整する操作インターフェース、または操作コマンド、状態情報または電池残量等を表示する表示部１３４１、あるいはその両方を含んでもよい。当該操作インターフェース及び表示部１３４１は、筐体１１に設置することが好ましい。前記操作インターフェースは、例えば、操作キー、操作ボタンまたは操作パネル等のいずれか１つまたはその組み合わせであるが、これらに限定されるものではない。表示部１３４１は、例えば、タッチパネル、表示ディスプレイ、数字ディスプレイ及び表示灯で構成されるグループのうちの１つまたはその組み合わせであるが、これらに限定されるものではない。
【００４１】
さらに、本考案の制御モジュール１３２は、検出モジュール（図示せず）を含んでもよい。当該検出モジュールは、制御モジュール１３２及び表示部１３４１と電気的に繋がっている。前記検出モジュールは、フィルタ１２の使用状態に関する情報を直接的または間接的に取得するための要素の組み合わせであり、ハードウェアまたはソフトウェアでもよいし、さらには補助部品と連結させてもよい。このうちハードウェアは、例えば、少なくとも１つのセンサ、データ処理用のマイクロプロセッサ及びその他関連要素（例えば、信号増幅器、通信ユニット、パワーユニット等）を含んでもよい。ソフトウェアは、例えば、データ収集または特徴抽出ソフト、信号増幅拡張ソフト、データ演算分析ソフト等を含んでもよい。前述の検出モジュールのハードウェア、ソフトウェア及び補助部品は、本考案では限定しない。一実施形態においては、本考案の集塵装置１００の検出モジュールは、集塵装置１００が吸入する気体の空気質または排出する気体の空気質、あるいはその両方を検出する。例えば、ＰＭ１０、ＰＭ２．５、揮発性有機化合物（ＶＯＣ）、ＣＯ２、ＣＯ等の物質である。したがって、前記検出モジュールには、検出目標物に対応する少なくとも１つのセンサ（例えば、ＰＭ１０センサ、ＰＭ２．５センサ、ＶＯＣセンサ、ＣＯ２センサ、ＣＯセンサ等）及び当該センサと通信を行うまたは電気的に繋がるマイクロプロセッサが含まれる。前記マイクロプロセッサは、前述のセンサが取得する信号を変換して表示部１３４１へ伝達し、表示ディスプレイまたは表示灯等を通じて空気質検出結果を提示または表示する。このほか、前記マイクロプロセッサは、前もって空気質閾値を設定しておき、当該マイクロプロセッサが換算して得られるセンサの空気質点数が当該閾値に達していない場合、当該マイクロプロセッサが表示部１３４１の表示ディスプレイまたは表示灯等にフィルタ交換が必要であることを提示または表示させてもよい。さらに、フィルタ１２を複数層使用する実施形態において、前記マイクロプロセッサは、前もって複数の検出目標物の空気質閾値を設定しておくことで、当該マイクロプロセッサが換算して得られるセンサの各空気質点数が当該閾値に達していない場合、当該マイクロプロセッサが表示部１３４１の表示ディスプレイまたは表示灯等にそれぞれのフィルタ１２の交換が必要であることを提示または表示させてもよい。一実施形態においては、本考案の集塵装置１００の検出モジュールは、集塵装置１００のフィルタ１２の累積使用時間を検出するのに使用される。例えば、前記検出モジュールは、センサ、累積経過時間測定機能を有するタイマー及びマイクロプロセッサを含み、フィルタ１２に被検出部を取り付ける。当該被検出部は、センサが無線認識できるようなシリアル番号タグ（例えばＲＦＩＤ等）を有していることが好ましい。そして、集塵装置１００の運転時に、前記センサが前記フィルタの被検出部を検出すると同時に前記タイマーが累積運転時間の計測を開始する。前記マイクロプロセッサは、前もって累積使用時間の閾値を設定しておくことで、当該マイクロプロセッサが取得する前記被検出部（すなわちフィルタ１２）の累積使用時間が当該閾値を超えている場合、当該マイクロプロセッサが表示部１３４１の表示ディスプレイまたは表示灯等にフィルタ交換が必要であることを提示または表示させる。
【００４２】
（第二実施形態）
以下、本考案の第二実施形態について図６〜図８を用いて説明する。図６は、本考案の集塵装置２００の第二実施形態の外観斜視図である。図７は、第二実施形態の上面分解斜視図である。図８は、第二実施形態の気流経路断面図である。
【００４３】
本考案の集塵装置２００の第二実施形態は、筐体２１と、フィルタ２２と、気流発生ユニット２３とを含む。このうち、気流発生ユニット２３は吸引力を生み出すためのものであるため、吸気部及び排気部を備えている。
【００４４】
筐体２１は、上カバー２１１と、保持体２１２と、下カバー２１４とを含んでいる。このうち、上カバー２１１及び保持体２１２は吸気部に設置され、吸気口（２１１１、２１２１）を備えている。また、上カバー２１１及び保持体２１２の間にはフィルタ２２が収容されている。フィルタ２２は、気流生成ユニット２３の吸気部に対応する位置に配置されている。下カバー２１４には、気流発生ユニット２３を収容してもよく、下カバー２１４の側面には、複数の排気口２１４１を備えている。筐体２１の内側には、気流経路を備えている。
【００４５】
第二実施形態と第一実施形態との違いは、筐体２１が管状の吸気口２１１１を備えているということである。好ましい実施形態においては、前述の管状の吸気口は、筐体から直接延伸する形で形成されている。好ましい実施形態においては、前述の管状の吸気口は、管体を前記筐体の吸気口に取り付ける形で形成されている（例えば、第一実施形態の上カバーの吸気口に管体を取り付けることによって第二実施形態が形成される）。好ましい実施形態においては、前述の管状の吸気口は、管状の吸気口を備える蓋体を前記筐体の吸気口外部に直接取り付ける形で形成されている（例えば、第一実施形態の上カバー外側に管状の吸気口を備える蓋体を取り付けることによって第二実施形態が形成される）。前述の管状の吸気口は固定式でもよいが、調整式であるほうが好ましい。調整式には、例えば、曲げられる、引っ張って伸ばせる、向きを変えられる等の調整方法があるが、これらに限定されるものではない。この場合、複数の可動接合部（例えば、球体関節または可撓性を有する蛇管）を追加することで、使用者の必要に応じて管状の吸気口２１１１の方位及び高さを調整することができる。好ましい実施形態においては、本考案の集塵装置２００の管状の吸気口２１１１は、蛇管、可撓性のある金属をプラスチックまたはゴムで被覆して成形した管状部品、適切な保持力を有するプラスチック管、または管状の吸気口２１１１を任意の方向や角度に折り曲げたり動かしたりできるそれ以外の材質または構造である。これによって、本考案の集塵装置２００を使用するうえでの柔軟性が向上する。これらを除き、集塵装置２００の仕組みは全て第一実施形態と同じである。
【００４６】
図７は、本実施形態の上面分解斜視図であり、図中のＢ−Ｂ断面（すなわち図８）を利用して本考案の気流経路を説明する。図６及び図８において、矢印は気体の流動方向を表している。気流発生ユニット２３は、前記気流導入装置が動作することによって吸引力を生み出し、管状の吸気口２１１１の周囲にある粉塵を含む気体を集塵装置２００に吸引してフィルタ２２に接触させ、フィルタ２２はそのうちの粉塵を留めて気体を通過させる。除塵された気体は、前記気流導入装置を通過してから整流装置２３５に接触し、整流装置２３５によって筐体２１の少なくとも１つの排気口２１４１へとスムーズに誘導されることで、よどみない気流経路が形成される。第二実施形態の利点は、管状の吸気口２１１１によってより的確に集塵目標を定めることができ、使用者の必要に応じて吸気口２１１１の位置を調整することができるため、集塵装置２００の使用利便性が増す、ということである。
【００４７】
上述したように、本考案の集塵装置は、フィルタを含み、当該フィルタに光触媒や活性炭等を組み合わせる複合式フィルタを使用することで、本考案の集塵装置は除塵機能だけでなく、除塵した気体に対する脱臭、消毒を行うことができ、それと同時に空気清浄効果をももたらすという利点がある。また、本考案の集塵装置は、整流装置を取り付けることによって、気流をスムーズに排出し、装置内部の気流をよどみない状態に保ち、粉塵粒子を残らずフィルタに捕集して、二次飛散を防ぐことができる。このほか、本考案の集塵装置は、位置決め部を取り付けることによって、フィルタ交換時及び装着時に正確な位置に取り付けられているかどうかをすぐさま確認することができる。
【００４８】
以上、本考案について詳細に説明したが、上述したのはあくまでも一実施形態であり、本考案は更に別の態様でも実施でき、その主旨を逸脱しない範囲で種々変更を加え得るものである。
【符号の説明】
【００４９】
１００    集塵装置
１１      筐体
１１１    上カバー
１１１１  吸気口
１１２    保持体
１１２１  吸気口
１１３    位置決め部
１１４    下カバー
１１４１  排気口
１１５    底脚
１２      フィルタ
１３      気流発生ユニット
１３１    気流導入装置  
１３２    制御モジュール
１３３    電源モジュール
１３４    操作モジュール
１３４１  表示部
１３５    整流装置
２００    集塵装置
２１      筐体
２１１    上カバー
２１１１  吸気口
２１２    保持体
２１２１  吸気口
２１４    下カバー
２１４１  排気口
２２      フィルタ
２３      気流発生ユニット
２３５    整流装置
【図１】
0003223545.tif 000003
【図２】
0003223545.tif 000004
【図３】
0003223545.tif 000005
【図４】
0003223545.tif 000006
【図５】
0003223545.tif 000007
【図６】
0003223545.tif 000008
【図７】
0003223545.tif 000009
【図８】
0003223545.tif 000010